【手続補正書】
【提出日】平成17年9月14日(2005.9.14)
【手続補正１】
【補正対象書類名】明細書
【補正対象項目名】特許請求の範囲
【補正方法】変更
【補正の内容】
【特許請求の範囲】
【請求項１】  少なくともビデオデータを含むコンテンツデータを配信するコンテンツ配信システムであって、
配信するためのコンテンツデータを格納する記憶領域を複数の配置先セットの集合として設け、
少なくとも、各コンテンツデータを特定する情報と、各コンテンツデータを配置した配置先セットを特定する情報と、各コンテンツデータのファイルパスと、各コンテンツデータのＵＲＬとを含むレコードを管理するレコード管理手段と、
前記レコードを参照してコンテンツデータを配置先セットに登録する登録手段と、を備えたことを特徴とするコンテンツ配信システム。
【請求項２】  請求項１に記載のコンテンツ配信システムにおいて、
配置先セットに登録されたコンテンツデータを保持するサーバとネットワークを介して接続される登録クライアントを備え、
前記登録クライアントは、登録するコンテンツデータのビデオデータ及び付随するデータを予めアーカイブファイルに纏めるアーカイブ化手段と、アーカイブファイル内のコンテンツのビデオデータ及び付随するデータを前記レコードを参照して配置先セットに登録する登録手段と、を備えたことを特徴とするコンテンツ配信システム。
【請求項３】  請求項２に記載のコンテンツ配信システムにおいて、
前記サーバは、配置先セットに登録されたコンテンツデータのビデオデータ及び付随するデータを前記レコードを参照して取得してアーカイブファイルに纏め、前記登録クライアントに出力するアーカイブ化手段を備えたことを特徴とするコンテンツ配信システム。
【請求項４】  請求項１乃至請求項３のいずれか１項に記載のコンテンツ配信システムにおいて、
ネットワークを介して接続される閲覧クライアントからの要求に応じて、前記レコードを参照して所定のコンテンツデータを配信する配信手段を備えたことを特徴とするコンテンツ配信システム。
【請求項５】  配信するためのコンテンツデータを格納する記憶領域を複数の配置先セットの集合として設け、
少なくとも、各コンテンツデータを特定する情報と、各コンテンツデータを配置した配置先セットを特定する情報と、各コンテンツデータのファイルパスと、各コンテンツデータのＵＲＬとを含むレコードを管理するレコード管理手段を備えたコンテンツ配信システムが、閲覧クライアントに対して配信される少なくともビデオデータを含むコンテンツデータを登録する方法であって、
前記コンテンツ配信システムが備える登録手段が、前記レコードを参照してコンテンツデータを前記配置先セットに登録することを特徴とするコンテンツ登録方法。
【請求項６】  配信するためのコンテンツデータを格納する記憶領域を複数の配置先セットの集合として設け、
少なくとも、各コンテンツデータを特定する情報と、各コンテンツデータを配置した配置先セットを特定する情報と、各コンテンツデータのファイルパスと、各コンテンツデータのＵＲＬとを含むレコードを管理するレコード管理手段を備えたコンテンツ配信システムが、閲覧クライアントに対して配信される少なくともビデオデータを含むコンテンツデータを登録する方法であって、
前記コンテンツ配信システムが備えるアーカイブ化手段が、登録するコンテンツデータのビデオデータ及び付随するデータを予めアーカイブファイルに纏め、
前記コンテンツ配信システムが備える登録手段が、前記レコードを参照して前記アーカイブファイル内のコンテンツのビデオデータ及び付随するデータを前記配置先セットに登録することを特徴とするコンテンツ登録方法。
【請求項７】  配信するためのコンテンツデータを格納する記憶領域を複数の配置先セットの集合として設け、
少なくとも、各コンテンツデータを特定する情報と、各コンテンツデータを配置した配置先セットを特定する情報と、各コンテンツデータのファイルパスと、各コンテンツデータのＵＲＬとを含むレコードを管理するレコード管理手段を備えたコンテンツ配信システムが、ネットワークを介して接続される閲覧クライアントからの要求に応じて、所定のコンテンツデータを配信するための配信方法であって、
前記コンテンツ配信システムが備える配信手段が、前記レコードを参照して要求されたコンテンツデータのＵＲＬを前記閲覧クライアントへ提供することを特徴とするコンテンツ配信方法。
【請求項８】  配信するためのコンテンツデータを格納する記憶領域を複数の配置先セットの集合として設け、
少なくとも、各コンテンツデータを特定する情報と、各コンテンツデータを配置した配置先セットを特定する情報と、各コンテンツデータのファイルパスと、各コンテンツデータのＵＲＬとを含むレコードを管理するレコード管理手段を備えたコンテンツ配信システムが、閲覧クライアントに対して配信される少なくともビデオデータを含むコンテンツデータを管理する方法であって、
前記コンテンツ配信システムが備えるアーカイブ化手段が、前記レコードを参照して前記コンテンツデータを前記配置先セットから取得してアーカイブファイルに纏めることを特徴とするコンテンツデータ管理方法。
【請求項９】  配信される少なくともビデオデータを含むコンテンツデータの登録処理をコンピュータにより実現するプログラムであって、
配信するためのコンテンツデータを格納する記憶領域として複数設けられた配置先セットに対して、
少なくとも、各コンテンツデータを特定する情報と、各コンテンツデータを配置した配置先セットを特定する情報と、各コンテンツデータのファイルパスと、各コンテンツデータのＵＲＬとを含むレコードを参照して、
コンテンツデータを登録する処理をコンピュータにより実現することを特徴とするプログラム。
【請求項１０】  配信するためのコンテンツデータを格納する記憶領域として複数設けられた配置先セットに対して、少なくとも、各コンテンツデータを特定する情報と、各コンテンツデータを配置した配置先セットを特定する情報と、各コンテンツデータのファイルパスと、各コンテンツデータのＵＲＬとを含むレコードを参照して、コンテンツデータを登録する処理の登録前処理をコンピュータにより実現するプログラムであって、
登録するコンテンツデータを配信用の形式に変換し、当該変換されたデータを前記登録処理に出力するアーカイブファイルに纏める処理をコンピュータにより実現することを特徴とするプログラム。
【請求項１１】  配信するためのコンテンツデータを格納する記憶領域として複数設けられた配置先セットから、ネットワークを介して接続される閲覧クライアントからの要求に応じて、所定のコンテンツデータを配信するための配信処理をコンピュータにより実現するプログラムであって、
少なくとも、各コンテンツデータを特定する情報と、各コンテンツデータを配置した配置先セットを特定する情報と、各コンテンツデータのファイルパスと、各コンテンツデータのＵＲＬとを含むレコードを参照して、要求されたコンテンツデータのＵＲＬを前記閲覧クライアントへ提供する処理をコンピュータにより実現することを特徴とするプログラム。
【請求項１２】  閲覧クライアントに対して配信される少なくともビデオデータを含むコンテンツデータを管理する処理をコンピュータにより実現するプログラムであって、
配信するためのコンテンツデータを格納する記憶領域として複数設けられた配置先セットから、少なくとも、各コンテンツデータを特定する情報と、各コンテンツデータを配置した配置先セットを特定する情報と、各コンテンツデータのファイルパスと、各コンテンツデータのＵＲＬとを含むレコードを参照して、前記コンテンツデータを取得してアーカイブファイルに纏める処理をコンピュータにより実現することを特徴とするプログラム。